(57)【要約】【課題】円滑に膜構造物を展張することにより、円滑に水路を開閉することができる防潮・防波堤を提供することができるようにする。【解決手段】水路を間に挟む一対の係止基礎１２Ｒ、１２Ｌと、これら係止基礎間１２Ｒ、１２Ｌに架設される膜構造物１１とを備え、各係止基礎１２Ｒ、１２Ｌが、上下方向に延在するガイド溝２１を備え、膜構造物１１が、水路を閉じる膜体１４と、膜体１４の両側に設けられて各ガイド溝２１内を上下方向に転動する回転連結体１７とを備えることを特徴とする。【選択図】　図１
2004132080.tif 000002
【特許請求の範囲】
【請求項１】
水路を間に挟む一対の係止基礎と、これら係止基礎間に架設される膜構造物とを備え、
前記各係止基礎が、上下方向に延在するガイド溝を備え、
前記膜構造物が、前記水路を閉じる膜体と、該膜体の両側に設けられて前記各ガイド溝内を上下方向に転動する回転連結体とを備える
ことを特徴とする防潮・防波堤。
【請求項２】
水路を間に挟む一対の係止基礎と、これら係止基礎間に架設される膜構造物とを備え、
前記膜構造物が、前記水路を閉じる膜体と、該膜体の両側に設けられて上下方向に延在する支持杆体とを備え、
前記各係止基礎が、前記各支持杆体を上下動方向に案内するガイド溝を備えることを特徴とする防潮・防波堤。
【請求項３】
請求項１または請求項２に記載の防潮・防波堤において、
前記膜構造物を引き上げる昇降装置をさらに備える
ことを特徴とする防潮・防波堤。
【請求項４】
請求項３に記載の防潮・防波堤において、
前記昇降装置が、前記膜構造物の下端に連結された索条体と、該索条体の巻き上げ及び巻き戻しを行う牽引手段とを備える
ことを特徴とする防潮・防波堤。
【請求項５】
請求項３に記載の防潮・防波堤において、
前記昇降装置が、前記膜構造物の両側に設けられたピストンと、前記各係止基礎側に設けられた、前記ピストンを昇降させるシリンダと、前記シリンダ内に液体を注入排出するポンプとを備える
ことを特徴とする防潮・防波堤。
【発明の詳細な説明】
【０００１】
【発明の属する技術分野】
本発明は、港湾、漁港などに設けられる防潮・防波堤に関する。
【０００２】
【従来の技術】
従来、この種の防潮・防波堤として、下記特許文献１に示すものが知られている。これについて、図６、図７を参照して説明する。図６において、防潮・防波堤１００は、水底に打設された基盤コンクリート１０１と、気密な袋状体に形成された可撓性膜１０２と、可撓性膜１０２を基盤コンクリート１０１に固定する固定部１０３と、可撓性膜１０２内に流体を供給・排出する供給管１０４・排出管１０５と、供給・排出設備（図示せず）と、可撓性膜１０２内に配置された、箱型形状の収納部１０６とを主な構成要素としている。収納部１０６の上面には、可撓性膜１０２を収納・展開するための開口部１０７が設けられている。また、可撓性膜１０２は、基盤コンクリート１０１と接触している下部可撓性膜１０８と、それ以外の上部可撓性膜１０９とから構成されている。
【０００３】
上記の構成からなる防潮・防波堤１００によれば、可撓性膜１０２を倒伏させるときには、前記供給・排出設備からの排出管１０５を介して可撓性膜１０２内の空気を、強制的に排出する。すると、水圧により上部可撓性膜１０９は、まず、収納部１０６の外面に接触する。その後、上部可撓性膜１０９は、略中央部の左右から水圧により押されて合掌状態に接触し、開口部１０７から収納部１０６内へ落ち込み、図７に示すように収納される。
【０００４】
逆に、可撓性膜１０２を起立させるときには、前記供給・排出設備からの供給管１０４を介して、可撓性膜１０２内に空気を強制的に供給する。空気が供給された可撓性膜１０２の上部可撓性膜１０９は、空気の浮力により、開口部１０７から収納部１０６外へ展開し、図６に示すように、略円弧形状をなして起立する。このようにして、上部可撓性膜１０９の頂上部が水面上に突出することにより、防潮・防波堤１００は、水の流れを止め、波を防ぐことができる。
【０００５】
【特許文献１】
特開昭６２−１７８６１４号公報　（第２−３頁、第１図、第２図）
【０００６】
【発明が解決しようとする課題】
ところで、上記の防潮・防波堤１００においては、可撓性膜１０２の内部に空気を入れたり、出したりして上部可撓性膜１０９を展張したり、収納したりして水路を開閉しているが、上部可撓性膜１０９を展張する際に、上部可撓性膜１０９が収納部１０６に引っかかり円滑に展張できなかったり、上部可撓性膜１０９を収納するときに、上部可撓性膜１０９がうまく折りたたまれず、開口部１０７から収納部１０６内へ円滑に収納されなかったりして、円滑に水路を開閉できない可能性があるという問題があった。
【０００７】
この発明は、このような事情を考慮してなされたもので、その目的は、円滑に膜構造物を展張することにより、速やかに水路を開閉することができる防潮・防波堤を提供することにある。
【０００８】
【課題を解決するための手段】
本発明の防潮・防波堤では、上記課題を解決するため、以下の手段を採用した。
請求項１にかかる発明は、水路を間に挟む一対の前記係止基礎と、これら前記係止基礎間に架設される膜構造物とを備え、前記各係止基礎が、上下方向に延在するガイド溝を備え、前記膜構造物が、前記水路を閉じる膜体と、該膜体の両側に設けられて前記各ガイド溝内を上下方向に転動する回転連結体とを備えることを特徴とする。
【０００９】
この発明にかかる防潮・防波堤によれば、前記膜構造物の両側に前記回転連結体が設けられ、前記各係止基礎に前記回転連結体が上下方向に転動する前記ガイド溝が設けられている。そのため、前記回転連結体と前記ガイド溝とを連結させることで、前記膜構造物と前記係止基礎とを上下方向へ移動可能に連結できる。前記回転連結体は、前記ガイド溝内を転動しながら上下するため、前記回転連結体と前記ガイド溝とに働く摩擦が小さくなる。つまり、前記膜構造物を展張、収納するときにも、働く摩擦が小さくなり、円滑に展張、収納することができる。
【００１０】
請求項２にかかる発明は、水路を間に挟む一対の係止基礎と、これら係止基礎間に架設される膜構造物とを備え、前記膜構造物が、前記水路を閉じる膜体と、該膜体の両側に設けられて上下方向に延在する支持杆体とを備え、前記各係止基礎が、前記各支持杆体を上下動方向に案内するガイド溝を備えることを特徴とする防潮・防波堤。
【００１１】
この発明にかかる防潮・防波堤によれば、前記膜構造物が、その両側に、上下方向に延在する前記支持杆体を備え、前記係止基礎が、前記各支持杆体を上下動方向に案内する前記ガイド溝を備える。そのため、前記支持杆体と前記ガイド溝とを連結させることで、前記膜構造物と前記係止基礎とを上下方向へ移動可能に連結できる。
上下方向に長い前記支持杆体と、同じく上下方向に長い前記ガイド溝との連結部では、摩擦抵抗の影響を受けにくくなるため、前記膜構造物を上下させ易くなる。その結果、前記膜構造物を円滑に展張、収納させることができる。
【００１２】
前記膜構造物は、前記支持杆体を前記ガイド溝に沿って上下させることにより展張、収納される。そのため、前記膜構造物は、広げられた状態で、前記ガイド溝に平行に配置されているので、前記膜構造物が、水中に展開、収納する際に水から受ける抵抗が最も少なくなる。よって、前記膜構造物を円滑に展張、収納させることができる。
【００１３】
また、前記膜構造物は、両側を前記支持杆体によって支えられているので、前記膜構造物は折りたたまれることがない。そのため、前記膜構造物を、折りたたんだり、開いたりするのに時間を要することがなく、円滑に展張、収納することができる。
【００１４】
請求項３にかかる発明は、請求項１または請求項２に記載の防潮・防波堤において、前記膜構造物を引き上げる昇降装置をさらに備える
ことを特徴とする。
【００１５】
この発明にかかる防潮・防波堤によれば、前記膜構造物を引き上げる昇降装置が備えられているので、前記膜構造物を円滑に展張、収納することができる。
【００１６】
請求項４にかかる発明は、請求項３に記載の防潮・防波堤において、前記昇降装置が、前記膜構造物の下端に連結された前記索条体と、該索条体の巻き上げ及び巻き戻しを行う牽引手段とを備えることを特徴とする。
【００１７】
この発明にかかる防潮・防波堤によれば、前記膜構造物には、前記膜構造物を巻き上げ及び巻き戻しする前記索条体が備えられている。そのため、前記牽引手段を用いて前記膜構造物を巻き上げ及び巻き戻しすることにより、前記膜構造物を展張、収納することができる。
前記膜構造物は、前記牽引手段が、前記索条体を巻き上げることにより、収納される。そのため、前記膜構造物と前記係止基礎との連結部での摩擦による引っかかりなどに影響されることなく、円滑に膜構造物を収納することができる。
【００１８】
請求項５にかかる発明は、請求項３に記載の防潮・防波堤において、前記昇降装置が、前記膜構造物の両側に設けられたピストンと、前記各係止基礎側に設けられた、前記ピストンを昇降させるシリンダと、前記シリンダ内に液体を注入排出するポンプとを備えることを特徴とする。
【００１９】
この発明にかかる防潮・防波堤によれば、前記膜構造物には、前記ピストンが設けられ、前記係止基礎には、前記ピストンを昇降させる前記シリンダと、前記シリンダに液体を注入・排出する前記ポンプとが設けられている。そのため、前記シリンダに液体を注入・排出させることにより、前記シリンダ内の前記ピストンを昇降させ、前記膜構造物を展張、収納させることができる。
前記シリンダに液体を注入させ、前記ピストンを押し上げることにより、前記膜構造物は収納される。そのため、前記膜構造物と前記係止基礎との連結部での摩擦による引っかかりなどに影響されることなく、円滑に膜構造物を収納することができる。
【００２０】
【発明の実施の形態】
以下、図面を参照し、この発明の実施の形態について説明する。図１および図２は、この発明の第一の実施形態を示す図である。
図１において、防潮・防波堤１０は、海側と港側とをつなぐ水路を開閉する遮蔽体である膜構造物１１と、膜構造物１１の端部を係止するアンカレイジ（係止基礎）１２Ｒ、１２Ｌと、アンカレイジ１２Ｒ、１２Ｌの左右に伸びる防波堤１３Ｒ、１３Ｌとを主な構成要素として構成されている。
膜構造物１１には、水路を遮蔽する膜体１４と、水圧を受ける複数のケーブルワイヤ１５と、膜構造物１１上部に浮力を与える浮体１６とが設けられ、ケーブルワイヤ１５の両端には、アンカレイジ１２Ｒ、１２Ｌと連結するための回転連結体１７が設けられている。ケーブルワイヤ１５は、膜体１４に沿って、互いに所定間隔離して配置され、膜体１４は、海側からケーブルワイヤ１５に貼り付くように固定されている。
【００２１】
アンカレイジ１２Ｒ、１２Ｌには、略垂直方向に設置された垂直部１８Ｒ、１８Ｌと、水底近傍で、垂直部１８Ｒ、１８Ｌから、海側へ水底に沿って突き出した水平部１９Ｒ、１９Ｌとが設けられている。水平部１９Ｒ、１９Ｌには、回転連結体１７を載せて、海側の端部に運ぶキャタピラ（図示せず）と、キャタピラを駆動する駆動機構２０とが設けられている。
また、垂直部１８Ｒ、１８Ｌにおいては、略垂直方向に、ガイド溝２１が水路側に面するように設けられ、水平部１９Ｒ、１９Ｌにおいては、水底に沿って、水平溝２２（ガイド溝）が水路側に面するように設けられている。
【００２２】
上記の構成からなる防潮・防波堤１０においては、図２に示すように、膜構造物１１を展張させるときには、ガイド溝２１の上端開口部から、ケーブルワイヤ１５の回転連結体１７を、重力を利用して落とし込む。回転連結体１７をガイド溝２１に落とし込むと、回転連結体１７は、ガイド溝２１を転動しながら、沈降していく。
回転連結体１７が垂直部１８Ｒ、１８Ｌのガイド溝２１の下端に到達すると、図１に示すように、回転連結体１７は、駆動機構２０により駆動されるキャタピラ（図示せず）に載って、水平部１９Ｒ、１９Ｌの水平溝２２を海側に向かって運ばれる。
【００２３】
また、膜構造物１１を収納するときには、膜構造物１１をガイド溝２１の上端開口部から引き上げる。このとき、膜構造物１１の回転連結体１７は、ガイド溝２１および水平溝２２を転動しながら上方へ引き上げられてゆく。
【００２４】
上記の構成によれば、膜構造物１１が自重により沈降するときに、回転連結体１７がガイド溝２１を転動するため、膜構造物１１が沈降する際に働く摩擦が小さくなる。同時に、膜構造物１１を引き上げ収納するときにも働く摩擦が小さくなる。そのため、膜構造物１１は、ガイド溝２１に沿って円滑に膜構造物１１を展張・収納することができ、円滑に水路を開閉することができる。
【００２５】
図３は、この発明の第二の実施形態を示す図である。全体の構成は図１に示すものと同様であり、同一構成要素には同一符号を付し、その説明を省略する。
図３において、防潮・防波堤５０は、アンカレイジ１２Ｒ、１２Ｌ上にウインチ（牽引手段）５１が設けられ、ウインチ５１と膜構造物１１の下端とをロープ（索条体）５２により結合されている。
【００２６】
上記の構成からなる防潮・防波堤５０においては、まず、膜構造物１１が、水面上で折りたたまれて、アンカレイジ１２Ｒ，１２Ｌ間に架設される。そして、図３に示すように、ウインチ５１からロープ５２を巻き戻すことにより、膜構造物１１は、その下端を水底に向かって沈降させる。
その後、膜構造物１１が水底に到達すると、膜構造物１１は、駆動機構２０により、水平溝２２に沿って海側に向かって牽引される。
【００２７】
また、膜構造物１１を収納するときには、駆動機構２０を逆回転させながら、ウインチ５１を用いてロープ５２を巻き上げることにより、膜構造物１１は、ガイド溝２１、水平溝２２に沿って引き上げられる。
【００２８】
上記の構成によれば、ウインチ５１を用いて膜構造物１１を巻き上げ及び巻き戻しすることにより、膜構造物１１を展張、収納することができる。そのため、円滑に水路を開閉することができる。
【００２９】
また、ウインチ５１が、ロープ５２を巻き上げることにより、膜構造物１１とアンカレイジ１２Ｒ、１２Ｌとの連結部での摩擦による引っかかりなどに影響されることなく、膜構造物１１は収納される。そのため、円滑に膜構造物１１を収納することができ、円滑に水路を開閉することができる。
【００３０】
膜構造物１１を展張、収納させる機械部分は、アンカレイジ１２Ｒ，１２Ｌの上部に設けられたウインチ５１のみであり、ウインチ５１は水面上に設置されているため、保守点検が容易となる。膜構造物１１を展張、収納させるウインチ５１の保守点検が容易であるため、膜構造物１１を円滑に展張、収納することができ、円滑に水路を開閉することができる。
【００３１】
図４は、この発明の第三の実施形態を示す図である。全体の構成は図１に示すものと同様であり、同一構成要素には同一符号を付し、その説明を省略する。
図４において、防潮・防波堤７０には、アンカレイジ１２Ｒ、１２Ｌ内に、略垂直方向に延在するシリンダ７１と、シリンダ７１の下端にシリンダ７１内に海水を注入、排出するポンプ７２とが設けられている。膜構造物１１には、その左右の下端にピストン７３が設けられ、ピストン７３は、シリンダ７１内に上下方向への移動が可能に配置されている。
【００３２】
上記の構成からなる防潮・防波堤７０においては、図４に示すように、膜構造物１１を展張するときには、左右のシリンダ７１内に水面近傍まで入っていた海水を、徐々にポンプ７２により排水して、シリンダ７１内に浮くピストン７３を徐々に下方に移動させる。ピストン７３を下方に移動させることにより、ピストン７３と結合している膜構造物１１を下方に展張させる。
【００３３】
また、膜構造物１１を収納するときには、排水されて空になっているシリンダ７１の底にあるピストン７３の下側から、海水を徐々に注入してピストン７３を上方へ移動させる。ピストン７３が上方に移動すると、ピストン７３に結合された膜構造物１１も上方に移動し、収納される。
【００３４】
上記の構成によれば、シリンダ７１に海水を注入・排出させることにより、シリンダ７１内のピストン７３を昇降させ、膜構造物１１を展張、収納させることができる。そのため、円滑に水路を開閉することができる。
【００３５】
シリンダ７１に海水を注入させ、ピストン７３を押し上げることにより、膜構造物１１とアンカレイジ１２Ｒ、１２Ｌとの連結部での摩擦による引っかかりなどに影響されることなく、膜構造物１１は収納される。そのため、円滑に膜構造物１１を収納することができ、円滑に水路を開閉することができる。
【００３６】
図５は、この発明の第四の実施形態を示す図である。全体の構成は図１に示すものと同様であり、同一構成要素には同一符号を付し、その説明を省略する。
図５において、防潮・防波堤９０は、膜構造物１１のワイヤーケーブル１５の両端に、支持杆体９１が締結され、アンカレイジ１２Ｒ、１２Ｌには、支持杆体９１がその内部を上下するガイド溝９２と、支持杆体９１を上下させる昇降機（昇降手段）９３が設けられている。
【００３７】
上記の構成からなる防潮・防波堤９０においては、水路が開かれている状態では、図１に示すように、左右の支持杆体９１が上昇して、膜構造物１１も水路の上空に退避している。水路を閉じるときには、アンカレイジ１２Ｒ、１２Ｌの昇降機９３により、支持杆体９１をガイド溝９２内に引き込む。支持杆体９１をガイド溝９２に引き込むと、支持杆体９１に結合された膜構造物１１もアンカレイジ１２Ｒ、１２Ｌの間に移動し、水路を閉じる。
【００３８】
また、逆に、支持杆体９１を、昇降機９３により、ガイド溝９２から上昇させると、支持杆体９１に結合された膜構造物１１も上昇し、アンカレイジ１２Ｒ、１２Ｌ間の水路は開く。
【００３９】
上記の構成によれば、膜構造物１１は、広げられた状態で、かつ、ガイド溝９２に平行に配置されるので、膜構造物１１が、水中に展開、収納する際に水から受ける抵抗が最も少なくなる。つまり、円滑に膜構造物１１を展張・収納することができ、円滑に水路を開閉することができる。
【００４０】
また、上下に長い支持杆体９１を、同じく上下に長いガイド溝９２に沿って上下させるので、膜構造物１１は、アンカレイジ１２Ｒ、１２Ｌとの連結部での摩擦抵抗などの影響を受けにくくなる。そのため円滑に膜構造物１１を展張・収納することができ、円滑に水路を開閉することができる。
【００４１】
膜構造物１１は、両側を支持杆体９１によって支えられているので、膜構造物１１は折りたたまれることがない。そのため、膜構造物１１を、折りたたんだり、開いたりするのに時間を要することがなく、円滑に展張、収納することができる。そのため、円滑に水路を開閉することができる。
【００４２】
なお、上記の第四の実施形態は、アンカレイジ１２Ｒ，１２Ｌ間の距離が、３０ｍ〜５０ｍ程度の漁港などの出入り口に用いて好適な実施形態である。
【００４３】
【発明の効果】
以上説明したように、請求項１に係る発明によれば、前記回転連結体は、前記ガイド溝内を転動しながら上下するため、前記回転連結体と前記ガイド溝との間に働く摩擦が小さくなる。そのため、前記膜構造物を展張、収納するときにも、働く摩擦が小さくなり、円滑に展張、収納することができ、円滑に水路を開閉することができるという効果を奏する。
【００４４】
請求項２に係る発明によれば、上下方向に長い前記支持杆体と、同じく上下方向に長い前記ガイド溝との連結部では、摩擦抵抗の影響を受けにくくなるため、前記膜構造物を上下させ易くなる。その結果、前記膜構造物を円滑に展張、収納させることができ、円滑に水路を開閉することができるという効果を奏する。
【００４５】
また、前記膜構造物は、両側を前記支持杆体によって支えられているので、前記膜構造物は折りたたまれることがない。そのため、前記膜構造物を、折りたたんだり、開いたりするのに時間を要することがなく、円滑に展張、収納することができ、円滑に水路を開閉することができるという効果を奏する。
【００４６】
請求項３に係る発明によれば、前記膜構造物を引き上げる昇降装置が備えられているので、前記膜構造物を円滑に展張、収納することができ、円滑に水路を開閉することができるという効果を奏する。
【００４７】
請求項４に係る発明によれば、前記牽引手段を用いて前記膜構造物を巻き上げ及び巻き戻しすることにより、前記膜構造物を展張、収納することができる。そのため、円滑に水路を開閉することができるという効果を奏する。
【００４８】
また、前記牽引手段を用いて前記膜構造物を巻き上げるため、前記膜構造物と前記係止基礎との連結部での摩擦による引っかかりなどに影響されることなく、円滑に膜構造物を収納することができる。そのため、円滑に水路を閉じることができるという効果を奏する。
【００４９】
請求項５に係る発明によれば、前記シリンダに液体を注入・排出させることにより、前記シリンダ内の前記ピストンを昇降させ、前記膜構造物を展張、収納させることができる。そのため、円滑に水路を開閉することができるという効果を奏する。
【００５０】
また、前記シリンダに液体を注入させ、前記ピストンを押し上げることにより、前記膜構造物と前記係止基礎との連結部での摩擦による引っかかりなどに影響されることなく、円滑に膜構造物を収納することができる。そのため、円滑に水路を閉じることができるという効果を奏する。
【図面の簡単な説明】
【図１】本発明による防潮・防波堤の第一の実施形態を示す平面図である。
【図２】本発明による防潮・防波堤の第一の実施形態を示す側面図である。
【図３】本発明による防潮・防波堤の第二の実施形態を示す側面図である。
【図４】本発明による防潮・防波堤の第三の実施形態を示す側面図である。
【図５】本発明による防潮・防波堤の第四の実施形態を示す側面図である。
【図６】従来の防潮・防波堤の一例を示す断面図である。
【図７】従来の防潮・防波堤の一例を示す断面図である。
【符号の説明】
１０、５０、７０、９０　防潮・防波堤
１１　膜構造物
１２Ｒ、１２Ｌ　アンカレイジ（係止基礎）
１４　膜体
１７　回転連結体
２１　ガイド溝
２２　水平溝（ガイド溝）
５１　ウインチ（牽引手段）
５２　ロープ（索条体）
７１　シリンダ
７２　ポンプ
７３　ピストン
９１　支持杆体
９２　ガイド溝
９３　昇降機（昇降手段）
【図１】
2004132080.tif 000003
【図２】
2004132080.tif 000004
【図３】
2004132080.tif 000005
【図４】
2004132080.tif 000006
【図５】
2004132080.tif 000007
【図６】
2004132080.tif 000008
【図７】
2004132080.tif 000009